(57)【要約】【課題】道路側及び監視員通路側から消火栓装置を簡単且つ容易に取り扱うことを可能とする。【解決手段】トンネル壁面に沿った監視員通路１４に消火栓収納箱３０が埋込み設置され、内部に泡ノズル付きのホースが収納される。道路側となる筐体３１の前面扉開口３３に、前扉３２が上下方向にスライド開閉自在に配置される。監視員通路１４側となる筐体３１の第１上面扉開口３５に、第１上扉３４が筐体３１の前縁コーナー部のヒンジ４６を軸として後開きが自在に軸支され、第１上扉３４の第２上面扉開口３７に、ヒンジ４２を軸として第２上扉３６が前開き自在に軸支される。道路側から操作する場合は、第２上扉３６の前開きにより前扉３２の係止を解除してスライド落下により開放して泡ノズル付きホースを取り出し、監視員通路側から操作する場合は、第１上扉を後開きして泡ノズル付きのホースを取り出す。【選択図】図２
2020093158.tif 000002
【特許請求の範囲】
【請求項１】
トンネル内に設置され、内部にホースを収納する消火栓収納箱であって、
設置状態において前記トンネル内の道路に面する前面に開口した前面扉開口に対して設けられた前扉と、
前記前扉とは別に、前記トンネル内の上方側に面する上面に開口した第１上面扉開口に対して設けられ、後開き可能な第１の上扉と、
前記前扉とは別に、前記トンネル内の上方側に面する上面に開口した第２上面扉開口に対して設けられ、前開き可能な第２の上扉と、
を備えたことを特徴とする消火栓収納箱。
【請求項２】
トンネル内に設置され、内部にホースを収納する消火栓装置であって、
設置状態において前記トンネル内の道路に面する前面に開口した前面扉開口に対して設けられた前扉と、
前記前扉とは別に、前記トンネル内の上方側に面する上面に開口した上面扉開口に対して設けられた上扉と、
前記前扉及び前記上扉の両方を１度の開放操作で開放可能とする扉開閉機構と、
を備えたことを特徴とする消火栓装置。
【請求項３】
請求項１又は２記載の消火栓装置に於いて、
前記前扉が前記道路側に露出し、前記上面が前記トンネル内の監視員通路の路面側に露出するように、前記監視員通路に埋込み設置されたことを特徴とする消火栓装置。
【請求項４】
請求項２記載の消火栓装置に於いて、
前記扉開閉機構は、前記前扉と前記上扉とを相互に係止することによって、前記前扉及び前記上扉を同時に閉鎖状態に保持可能であることを特徴とする消火栓装置。
【請求項５】
請求項２又は４記載の消火栓装置に於いて、
前記扉開閉機構は、所定の第１の扉開操作を受けたときに、前記前扉と前記上扉との相互の係止を解除して、前記前扉及び前記上扉を同時に開放することを特徴とする消火栓装置。
【請求項６】
請求項５記載の消火栓装置に於いて、
前記扉開閉機構は、前記上扉に対する前記所定の第１の扉開操作を受けたときに、前記上扉の開放に連動して前記前扉を開放することを特徴とする消火栓装置。
【請求項７】
請求項１乃至６の何れかに記載の消火栓装置に於いて、
前記前扉は、設置状態において上下方向にスライドすることによって開閉することを特徴とする消火栓装置。
【請求項８】
請求項２記載の消火栓装置に於いて、
前記上扉は、設置状態において前面よりも奥行き側を回転軸として前開きに開放可能であることを特徴とする消火栓装置。
【請求項９】
請求項８記載の消火栓装置に於いて、
更に、設置状態において前面側を回転軸として前記前扉の閉鎖状態で後開きに開放可能な上扉を備えることを特徴とする消火栓装置。
【請求項１０】
請求項９記載の消火栓装置に於いて、
前記上扉は、所定の第２の扉開操作を受けたときに、前記後開きに開放することを特徴とする消火栓装置。
【発明の詳細な説明】
【技術分野】
【０００１】
本発明は、ノズル付きホースを引き出して消火用水又は消火泡を放出させる消火栓収納箱に関する。
【背景技術】
【０００２】
従来、高速道路や自動車専用道路などのトンネル内に設置するトンネル非常用設備として消火栓装置が設けられており、消火栓装置は開放自在な消火栓扉を備え、先端にノズルを装着したホースと消火栓弁を含むバルブ類を収納している。
【０００３】
消火栓装置は、一般的に、トンネル側壁に沿って例えば５０メートル間隔でトンネル壁面に埋込み設置されている。火災を伴う車両事故が発生した場合には、監視員通路のあるトンネルでは、事故車両の運転者等の道路利用者は監視員通路の側面に設置されたステップ等により監視員通路に登り、トンネル壁面に設置された消火栓装置の消火栓扉を前方に開放してノズル付きのホースを取出して消火作業を行うようにしている。
【０００４】
監視員通路は路面に対し高くした側壁通路として設けられ、トンネル内の車両通行を妨げることなく且つ安全にトンネル内に設置している消火栓装置を含む各種の機器の点検を行うことを可能としている。
【０００５】
また、監視員通路のないトンネルにあっては、事故車両の運転者等の利用者は、トンネ
ル壁面に設置された消火栓装置に近づき、同様に、消火栓扉を前方に開放してノズル付き
のホースを取出して消火作業を行うようにしている。
【先行技術文献】
【特許文献】
【０００６】
【特許文献１】特開２００６−１８１０５７号公報
【特許文献２】特開２００８−０５５０２４号公報
【特許文献３】特開２００９−２８５１２６号公報
【発明の概要】
【発明が解決しようとする課題】
【０００７】
ところで、シールド工法等により作られた都市型トンネルにあっては、トンネル壁面に
消火栓装置を埋込み設置できない構造であり、監視員通路側面（壁面）に消火栓装置を埋
込み設置する必要がある。
【０００８】
しかしながら、従来の消火栓のように扉を前開きする消火栓装置を監視員通路に設置し
た場合には、消火栓扉が開くと建築限界を超えて道路側に飛び出す問題がある。
【０００９】
一方、この問題を解決できたとしても、消火栓装置をトンネル内の道路に面した監視員
通路壁面に沿って埋込設置した場合、車両火災が発生して消火栓扉の前に車両が停止する
と、停止車両が邪魔になって、消火栓扉を開いてホースを引き出すことができない場合が
ある。更に、仮に監視員通路上から操作できる場合でも、監視員通路から消火栓扉を開く
には、体をかがめて手を伸ばす必要があり、消火栓装置の操作に手間取ってしまう場合も
ある。
【００１０】
本発明は、道路側及び監視員通路側から消火栓装置を簡単且つ容易に取り扱うことを可
能とする消火栓収納箱を提供することを目的とする。
【課題を解決するための手段】
【００１１】
（消火栓収納箱）
本発明は、トンネル内に設置され、内部にホースを収納する消火栓収納箱であって、
設置状態においてトンネル内の道路に面する前面に開口した前面扉開口に対して設けられた前扉と、
前扉とは別に、トンネル内の上方側に面する上面に開口した第１上面扉開口に対して設けられ、後開き可能な第１の上扉と、
前扉とは別に、トンネル内の上方側に面する上面に開口した第２上面扉開口に対して設けられ、前開き可能な第２の上扉と、
を備えたことを特徴とする。
【００１２】
（消火栓収納箱）
本発明は、トンネル内に設置され、内部にホースを収納する消火栓装置であって、
設置状態においてトンネル内の道路に面する前面に開口した前面扉開口に対して設けられた前扉と、
前扉とは別に、トンネル内の上方側に面する上面に開口した上面扉開口に対して設けられた上扉と、
前扉及び上扉の両方を１度の開放操作で解放可能とする扉開閉機構と、
を備えたことを特徴とする。
【００１３】
前扉が道路側に露出し、上面がトンネル内の監視員通路の路面側に露出するように、監視員通路に埋込み設置される。
【００１４】
扉開閉機構は、前扉と上扉とを相互に係止することによって、前扉及び上扉を同時に閉鎖状態に保持可能である。
【００１５】
扉開閉機構は、所定の第１の扉開操作を受けたときに、前扉と上扉との相互の係止を解除して、前扉及び上扉を同時に開放する。
【００１６】
扉開閉機構は、上扉に対する所定の第１の扉開操作を受けたときに、上扉の開放に連動して前扉を開放する。
【００１７】
前扉は、設置状態において上下方向にスライドすることによって開閉する。
【００１８】
上扉は、設置状態において前面よりも奥行き側を回転軸として前開きに開放可能である。
【００１９】
更に、設置状態において前面側を回転軸として前扉の閉鎖状態で後開きに開放可能な上扉を備える。
【００２０】
上扉は、所定の第２の扉開操作を受けたときに、後開きに開放する。
【発明の効果】
【００２１】
（基本的な効果）
本発明は、高さの異なる第１面と第２面のうち、第１面に埋込設置された筐体の内部に、ノズル付きのホースが収納された消火栓収納箱に於いて、第２面側となる筐体の前面に形成された扉開口に、上下方向にスライド開閉自在に配置された前扉と、第１面側となる筐体の上面に形成された第１上面扉開口に、筐体の前縁コーナー部を軸として後開き自在に軸支された第１上扉と、第１上扉に形成された第２上面扉開口に、扉後縁部を軸として前開き自在に軸支された第２上扉とが設けられたため、利用者は第１面・第２面の両側から自在にノズル付ホースを取り出すことが出来る。特に、トンネルの車両事故による火災の発生時に、利用者は道路側から前開きハンドルを操作することで、道路に面した前扉をスライド落下して開放させると共に上扉を奥行方向に開く前開きとすることで、消火栓収納箱の前面扉開口及び第２上面扉開口が開口され、ホース収納部から簡単且つ容易にノズル付きホースを引き出して消火を行うことができる。
【００２２】
また、消火栓装置の前に車両が停止して利用者が道路側からの操作ができない場合には、利用者は通路に登り、かがみこんで後開きハンドルの操作により第１上扉を道路側に開
く後開き操作を行うことで第１上部扉開口が開放され、停止車両に妨げられることなく、
ホース収納部から簡単且つ容易にノズル付きホースを引き出して消火を行うことができる。
【００２３】
また、第１上扉が道路側に後ろ開きした場合にフェンスとして機能するため、第１上部開口からノズル付きのホースを引き出す場合に、利用者が道路側に落ちるような危険が回避され、また、内部から取り出したノズルを道路側に落としてしまうようなことも防止可能となる。
【００２４】
（第１上扉の後開き機構による効果）
また、第１上扉は後開き機構を備え、後開き機構は、扉前縁側が筐体の前縁コーナー部にヒンジにより回転自在に軸支され、扉後縁側に配置された後開きハンドルの操作によりヒンジを軸として後開きさせるようにしたため、第２上扉と一体に第１上扉が後開きして、第１面、例えばトンネルにおける監視員通路の路面に第２上扉開口を大きく開放させることができ、第１面、トンネルにおける監視員通路側からのノズル付きホースの引き出しを簡単且つ容易に行うことを可能とする。
【００２５】
（第２上扉の前開き機構による効果）
また、第２上扉は前開き機構を備え、前開き機構は、前扉が閉鎖位置にある場合に、前
扉の上部を係止して閉鎖位置に保持させ、前開きハンドルを操作した場合に、前扉の係止
解除によりスライド落下させて前面扉開口を開放させると共に第２上扉の前開き操作によ
る第１上扉に形成された第２扉開口の開放を可能し、また、前開き機構は、第２上扉の前
縁に前開きハンドルのハンドル本体が回動自在に軸支され、前開きハンドルの非操作でハ
ンドル本体の両側に取り出された軸部材を前扉の裏面軸穴に挿入して前扉を係止させ、前
開きハンドルの操作で軸部材を裏面軸穴から引き外して前扉の係止を解除させるようにし
たため、第２面、例えばトンネルにおける道路側から操作する場合は、第２面、トンネル
における道路から操作可能な位置にある前開きハンドルをリフトアップすることで、前扉
がスライド落下して開放すると共に第２上扉を前開きすることができ、第２面、トンネル
における道路側からのノズル付きホースを引き出しを簡単且つ容易に行うことを可能とす
る。
【００２６】
（第２上扉に軸支したハンドル本体と筐体前縁コーナー部に軸支した第１上扉の軸心線
を同軸配置による効果）
また、前開きハンドルのハンドル本体を第２上扉の前縁に軸支する軸心線と、第１上扉
を筐体の前縁コーナー部に軸支させる軸心線が同軸となるように配置されるようにしたた
め、簡単なヒンジ構造（蝶番構造）により、第１上扉を筐体の前縁コーナー部に回転自在
に軸支し、また、第１上扉と一体に後開きされる第２上扉の前縁に前開きハンドルのハン
ドル本体を軸支することができ、第１上扉を第２上扉と一体に後開きしてもハンドル本体
は動くことがなく、前扉の係止による閉鎖を維持したまま、第１上扉の後開きを可能とす
る。
【図面の簡単な説明】
【００２７】
【図１】自動車専用道路のトンネル内に設置された消火栓設備を含むトンネル非常用設備を示した説明図
【図２】通常時における消火栓収納箱の外観を示した説明図
【図３】図２の消火栓収納箱の外観を正面及び平面から示した説明図
【図４】図２の消火栓収納箱の外観を側面から示した説明図
【図５】前開き機構が設けられた消火栓収納箱の前開きハンドルの部分を取り出して示した説明図
【図６】第２上扉を前開きして前扉の落下によりスライド開放させる前開き機構の機構構造を示した説明図
【図７】消火栓収納箱の内部構造を示した説明図
【図８】道路側から操作する場合の前扉と第２上扉の開放操作を示した説明図
【図９】監視員通路側から操作する場合の第１上扉の開放操作を示した説明図
【発明を実施するための形態】
【００２８】
［トンネル非常用設備の概要］
図１は自動車専用道路のトンネル内に設置された消火栓設備を含むトンネル非常用設備を示した説明図である。図１に示すように、シールド工法により構築されたトンネル１０内は円筒形のトンネル壁面１２により覆われ、床版１８により仕切られることで道路１５が設けられており、この例にあっては、道路１５は１方向２車線としている。
【００２９】
床版１８で仕切られた道路１５の左側のトンネル壁面１２に沿って監視員通路１４が設けられ、監視員通路１４の下側の内部空間はダクト２２として利用され、電線管等が敷設される。監視員通路１４は例えば高さが９０センチメートル、横幅が７０センチメートルといった大きさをもつ。
【００３０】
道路１５が形成された床版１８の下側はトンネル横方向に複数の区画に仕切られており、例えば、監視員通路１４の下に位置する区画は、管理用通路２０として使用され、また、管理用通路２０はトンネル内での火災発生時には、緊急避難通路として使用される。管理用通路２０には給水本管２４が敷設されている。
【００３１】
トンネル１０の長手方向の５０メートルおきには、消火栓設備１６が設置され、消火栓設備１６はホースが収納された消火栓収納箱３０と放水制御機構収納部２６に分離して設置されている。
【００３２】
消火栓収納箱３０は、監視員通路１４の路面及び道路１５側の壁面にかけて箱形に刳り貫かれた消火栓埋込部に配置されている。放水制御機構収納部２６は、消火栓収納箱３０の下側となる管理用通路２０に配置され、給水本管２４から分岐した分岐管が引き込まれ、また、消火栓収納箱３０に消火用水を供給する給水配管２５が立ち上げられている。
【００３３】
［消火栓設備］
図２は通常時における消火栓収納箱の外観を示した説明図、図３は図２の消火栓収納箱の外観を正面及び平面から示した説明図、図４は図２の消火栓収納箱の外観を側面から示した説明図である。
【００３４】
（消火栓収納箱の外観構造）
図２乃至図４に示すように、消火栓設備１６の消火栓収納箱３０は、監視員通路１４の路面下の内部空間に埋込み設置されている。消火栓収納箱３０は、筐体３１の前面中央の上側に形成された前面扉開口３３に前扉３２が上下方向にスライド自在に配置されている。
【００３５】
また、消火栓収納箱３０の監視員通路１４の路面側となる上面中央に形成された第１上面扉開口３５には、前扉３２と同じ横幅の第１上扉３４が配置されている。更に、第１上扉３４の前側中央には第２上面扉開口３７が形成され、ここに第２上扉３６が配置されている。
【００３６】
第１上扉３４は扉前縁の両側を、筐体３１の上部の前縁コーナー部に配置したヒンジ４６により軸支されており、図４の第１上扉３４ａに示すように、ヒンジ４６を中心に上向きに開放させる後ろ開きができるようにしている。
【００３７】
第２上扉３６は扉後縁を第１上扉３４の第２上面扉開口３７にヒンジ４２により軸支しており、図４の第２上扉３６ａに示すように、ヒンジ４２を中心に上向きに開放させる前開きができるようにしている。
【００３８】
第２上扉３６の前縁にはヒンジ４４により前開きハンドル３８が軸支されており、前開きハンドル３８のハンドル本体に設けられた前開き機構により、第２上扉３６の閉鎖状態で、前扉３２が図示の閉鎖状態に係止されており、利用者が道路１５側から操作する場合には、前開きハンドル３８を開操作すると、第２上扉３６に対する前扉３２の係止が解除され、前扉３２は自重により筐体３１の裏側に落下して前面扉開口３３を開放させ、また、第２上扉３６を前開きすることで、消火栓収納箱３０の第２上面扉開口３７を開放させる。
【００３９】
ここで、第１上扉３４を筐体３１の前縁コーナー部に軸支させるヒンジ４６と、第２上扉３６の前縁に前開きハンドル３８を軸支させるヒンジ４４は、両者の軸心線が同軸となるように配置されており、筐体３１及び前扉３２を閉鎖位置に係止している前開きハンドル３８を固定側として、ヒンジ４４，４６により第２上扉３６と共に第１上扉３４を後開き自在に軸支している。
【００４０】
消火栓収納箱３０の前面左上部には通報装置パネル４８が設けられる。通報装置パネル４８には、赤色表示灯５０及び発信機５２、応答ランプ５４及び電話ジャック５５が設けられている。赤色表示灯５０は常時点灯し、消火栓設備の設置場所が遠方から分かるようにしている。火災時には、発信機５２を押して押し釦スイッチをオンすると、発信信号が監視室や監視センター等に設置された防災受信盤に送信されて火災警報が出され、これに伴い応答信号が防災受信盤から送られて、応答ランプ５４が点灯され、更に、赤色表示灯５０が点滅される。
【００４１】
［前開き機構］
図５は前開き機構が設けられた消火栓収納箱の前開きハンドルの部分を取り出して示した説明図であり、図５（Ａ）は正面を示し、図５（Ｂ）は図５（Ａ）のＸ−Ｘから見た側面を示す。図６は第２上扉を前開きして前扉の落下によりスライド開放させる前開き機構の機構構造を示した説明図であり、図６（Ａ）は閉鎖状態を示し、図６（Ｂ）は前開きハンドルを開操作した状態を示す。
【００４２】
図５に示すように、消火栓収納箱３０の上面に配置された第２上扉３６の先端にヒンジ４４で軸支された前開きハンドル３８のハンドル本体３８ａの両側には、前開き機構の軸部材５６が取り出されおり、第２上扉３６の閉鎖状態で軸部材５６の先端は、前扉３２の裏側に配置された軸受部材５８の軸穴に挿入されており、これにより第２上扉３６に前扉３２が係止され、閉鎖位置に保持されている。
【００４３】
軸部材５６は前開きハンドル３８をリフトアップすると、内側に引き込まれ、軸受部材５８の軸穴から抜けることで、前扉３２の係止が解除され、前扉３２は自重によりスライドしながら落下して前面扉開口３３を開放させる。
【００４４】
図６（Ａ）に示すように、前開き機構６０は、ハンドル本体３８ａ内に、一対の屈曲したリンク６２の一端が移動支点６４で連結され、リンク６２の屈曲位置が回動支点６６としてハンドル本体３８ａ側に固定され、リンク６２の他端はスライド支点７０として、軸部材５６の軸端の支点６８に連結されており、更に、移動支点６４はスプリング７２により図示で上方向に付勢されている。
【００４５】
前開きハンドル３８を操作していない場合、スプリング７２の力を受けて、リンク６２は外側に回動することで、軸部材５６を軸受部材５８の軸穴５８ａに嵌め入れ、第２上扉３６に前扉３２を係止させている。
【００４６】
前開きハンドル３８をリフトアップすると、図６（Ｂ）に示すように、図示しないリンク機構を介して移動支点６４がスプリング７２に抗して下側に移動し、これによりリンク６２は内側に回動し、軸部材５６を内側に引き込むことで、軸受部材５８の軸穴５８ａから軸部材５６の先端を引き外し、前扉３２の係止が解除され、前扉３２は自重によりスライドしながら落下して前面扉開口３３を開放させる。
【００４７】
なお、前開き機構６０は図６のリンク機構に限定されず、前開きハンドル３８のリフトアップにより軸部材５６を内側に引き込んで軸受部材５８の軸穴５８ａから引き外す適宜のリンク機構が含まれる。
【００４８】
［消火栓収納箱の内部構造］
図７は消火栓収納箱の内部構造を示した説明図であり、図７（Ａ）は正面を示し、図７（Ｂ）は図７（Ａ）のＹ−Ｙ断面から見た平面を示す。
【００４９】
図７に示すように、消火栓収納箱３０における筐体３１の内部下側はホース収納部７４となっており、保形構造のホース７６を水平回りに重ねて内巻きしている。
【００５０】
筐体３１の平面からみた長方形は、横幅は約１．４メートル程度、奥行きは約０．３５メートル程度であることから、ホース収納部７４にホース７６を内巻きした場合、ホース７６の内巻き形状は、２つの平行線と２つの半円からなる角丸長方形となり、平面長方形の筐体３１内に内巻きされたホース７６の１ターンの長さは概ね３．５メートル程度となり、ホース長さは３０メートル以上必要とすることから、ホース７６は９ターン以上重ねて内巻きすればよい。
【００５１】
ここで、筐体３１内に角丸長方形に内巻きされたホース７６を、平行線ホース部分７６ａ，７６ｃ及び半円ホース部分７６ｂ，７６ｄで示している。
【００５２】
筐体３１の中央前面側には、筐体３１内に角丸長方形に内巻きされるホース７６の前面側の平行線ホース部分７６ａを内側に変形させるホースガイド構造８０が設けられる。
【００５３】
ホースガイド構造８０は金属パイプを用いた４本のガイドパイプ８０ａ，８０ｂ，８０ｃ，８０ｄを底板８１に起立させており、両端のガイドパイプ８０ａ，８０ｄは筐体３１の内面に沿って起立され、中央のガイドパイプ８０ｂ，８０ｃは所定長さ内側に離して起立させ、ホース７６をホースガイド構造８０のガイドパイプ８０ａ，８０ｂ，８０ｃ，８０ｄに沿って内巻きすることで、ホース７６の前面側の平行線ホース部分７６ａが内側に変形されて略ひょうたん形に近い形状となり、この変形によりホース７６の変形された平行線ホース部分７６ａには外側に広がろうとする反発力が発生している。
【００５４】
このようなホースガイド構造８０が設けられたことで、筐体３１内に重ねて内巻きされたホース７６は、角丸長円形の平行線ホース部分７６ａがホースガイド構造８０により内側に変形されることで、外側に広がろうとする反発力が発生し、筐体３１の内壁側に押し付ける力が発生することで、重ねて内巻きしたホース７６の平行線ホース部分７６ａ，７６ｃが長くなっても内側に崩れてしまうことを確実に防止可能とする。
【００５５】
ここで、ホースガイド構造８０はホース７６の前面側の平行線ホース部分７６ａを内側に変形させ、背面側の平行ホース部分７６ｃは内側に変形させていないが、平行線ホース部分７６ａの内側へ変形により、ホース７６全体として外側に広がろうとする力が増加し、内側に変形させていない背面側の平行ホース部分７６ｃについても、内側に崩れてしまうことを確実が防止可能となる。
【００５６】
また、前扉３２及び第２上扉３６又は第１上扉３４を開いてホース７６を外部に引き出す場合には、ホース７６の半径ホース部分７６ｂ，７６ｄの変形によるホースを押し出そうとする力に加え、ホース７６の平行線ホース部分７６ａについても、ホースガイド構造８０による内側への変形でホース７６を押し出そうとする力が発生し、ホース７６の引き出し力を低減可能とする。
【００５７】
ホースガイド構造８０の上部には、図１及び図２に示した前面扉開口３３、第１上面扉開口３５及び第２上面扉開口３７の内側を囲むように、ガイドパイプ８２ａ〜８２ｃ及びガイドパイプ８４ａ，８４ｂが配置され、ホース７６を外部に引き出す際にガイドパイプ８２ａ〜８２又はガイドパイプ８４ａ，８４ｂに摺接させることで、ホース７６の損耗を防止すると共にホース引き出し力を低減させている。
【００５８】
また、第２上扉３６の裏面にはノズルホルダー８６によりホース７６の先端に連結された泡ノズル７８が着脱自在に係止されている。本実施形態のノズルホルダー８６は、泡ノズル７８を第２上扉３６の裏面に軸支して懸垂状態に吊り下げることで係止しており、第２上扉３６を図４の第２上扉３６ａに示すように前開きした場合、又は、第１上扉３４を第２上扉３６と一体に図４の第１上扉３４ａに示すように後ろ開きした場合にも、第２上扉３６の扉裏面にノズルホルダー８６が泡ノズル７８を懸垂した状態で係止している。
【００５９】
このため第２上扉３６を前開き又は第１上扉３４を第２上扉３６と共に後開きすると、扉裏面に懸垂状態に保持されている泡ノズル７８が消火栓収納箱３０の上部に現れることになる。
【００６０】
第２上扉３６の前開きで扉裏面に保持されている泡ノズル７８が現れる位置は、路面１５から概ね０．９〜１．３メートルの範囲のいずれかとなり、これは路面１５に立った利用者の腰から肩までの範囲に相当し、目の前に泡ノズル７８が出現することから、泡ノズル７８の取出しが容易にできる。
【００６１】
また、第１上扉３４の後開きで扉裏面に保持されている泡ノズル７８が現れる位置は、監視員通路１４の路面から概ね０．２〜０．４メートルの範囲のいずれかとなり、監視員通路１４に体をかがめて後開きハンドル４０を操作している利用者の目の前に泡ノズル７８が出現し、利用者は監視員通路１４側から泡ノズル７８を容易に取り出すことができる。
【００６２】
なお、ノズルホルダー８６は、懸垂型以外に、扉裏面に固定されて泡ノズル７８を着脱自在に係止させる引き外し側に開いた分割リング形状のノズルホルダーとしても良い。
【００６３】
また、筐体３１の上面開口の右側内部には操作箱が配置され、操作箱には消火栓弁開閉レバーが設けられ、操作箱の内部に設けられている手動パイロット弁を開閉操作させるようにしているが、図示を省略している。消火栓弁開閉レバーを開操作すると、手動パイロット弁が開放され、図１に示した放水制御機構収納部２６に分離配置された消火栓弁を遠隔的に開放させることができる。
【００６４】
また、操作箱や手動パイロット弁、消火栓開閉レバーのうち、１または複数をホースガイド構造８０によって確保される空きスペースに配置しても良い。また、手動パイロット弁と消火栓開閉レバー間の接続部材や、手動パイロット弁から消火栓弁までの配管の一部を空きスペースに配置しても良い。
【００６５】
上記のように空きスペースに適宜の部材を配置することで、スペースの限られる監視員通路に配置される消火栓収納箱の空間を有効活用することができる。
【００６６】
［道路側から第２上扉及び前扉を開放させる操作］
図８は道路側から操作する場合の前扉と第２上扉の開放操作を示した説明図である。
【００６７】
図８に示すように、利用者が道路側から消火栓収納箱３０を操作する場合には、前開きハンドル３８をリフトアップすると、前扉３２の係止が解除され、前扉３２は自重によりスライド落下し、前面扉開口３３が開放される。
【００６８】
続いて、利用者が第２上扉３６を奥行方向に開く前開き操作を行うと、図６（Ａ）（Ｂ）に示したように、ハンドル本体３８ａの両側に配置されている軸部材５６が前扉３２の裏面の軸受部材５８から抜き出され、第２上扉３６はヒンジ４２を中心に前開きされ、第２上面扉開口３７が開放される。
【００６９】
このとき図７（Ａ）に示したように、第２上扉３６の裏側に配置されているノズルホルダー８６は、道路にいる利用者の目の前に位置し、ノズルホルダー８６に係止されている泡ノズル７８が利用者の目の前に出現し、容易に泡ノズル７８を取り出してホース７６を引き出すことができる。
【００７０】
［監視員通路側から上扉を開放させる操作］
図９は監視員通路側から操作する場合の第１上扉の開放操作を示した説明図である。
【００７１】
図９に示すように、利用者が監視員通路側から消火栓収納箱３０を操作する場合には、利用者が監視員通路から体をかがめて後開きハンドル４０をリフトアップすると、第１上扉３４の後縁側の筐体３１側に対する係止が解除され、前縁コーナー部のヒンジ４６を中心に、第１上扉３４は後開きされ、第１上面扉開口３５が開放される。
【００７２】
このとき第１上扉３４と一体に第２上扉３６もヒンジ４４を中心に後開きされ、ヒンジ４４で軸支された前開きハンドル３８は動くことがなく、前開きハンドル３８に設けられた図６に示した前開き機構６０の軸部材５６の先端は前扉３２の裏面に配置された軸受部材５８の軸穴５８ａに嵌め込まれた状態を維持しており、前扉３２の閉鎖状態への係止を保持したまま、第２上扉３６は第１上扉３４と一体に後開きされる。
【００７３】
第１上扉３４の後開きにより第１上面扉開口３５が開放されると、図６（Ａ）に示したように、第２上扉３６の裏側に配置されているノズルホルダー８６に係止された泡ノズル７８が、監視員通路で体をかがめている利用者の目の前に出現し、容易に泡ノズル７８を取り出してホース７６を引き出すことができる。
【００７４】
［本発明の変形例］
（前開き機構）
上記の実施形態に示した第２上扉の前開き機構は一例であり、第２上扉が第１上扉と共に閉鎖位置にある場合に、前扉の上部を係止して閉鎖位置に保持させ、前開きハンドルを操作した場合に、前扉の係止解除によりスライド落下させて前面扉開口を開放させると共に第２上扉の前開き操作による第１上扉に形成された扉開口の開放を可能とする機能であれば、適宜の機構が含まれる。
【００７５】
（泡消火栓設備）
上記の実施形態は、消火泡を放出させる泡消火栓設備を例にとっているが、これに限定されず、消火用水を放水させる消火栓設備としても良い。
【００７６】
（その他）
上記の実施形態は、扉開口時に信号を送出することに触れていないが、扉開口時に信号を送出するようにしてもよい。扉開口時は火災発生と考えられ、また火災発生でない場合には悪戯等で消火栓扉が開口していると考えられ、いずれの場合においても対応が必要である。信号は火災信号や消火栓を管理する防災受信盤に送信されることが好適であるが、適宜の機器に信号を送出してよい。第１上面扉開口時と第２上面扉開口時でそれぞれ異なる信号を送出するようにしても良い。
【００７７】
上記の実施形態は、トンネル消火栓設備を例にとっているが、これに限定されず、例えば高さの異なる２つの通路面や、例えば体育館や舞台などの壇上とその下のような、それぞれ人が歩行可能な高さの異なる面とその面に接する壁面において本願消火栓収納箱を適用することが出来る。
【００７８】
また本発明は、その目的と利点を損なうことのない適宜の変形を含み、更に、上記の実施形態に示した数値による限定は受けない。
【符号の説明】
【００７９】
１０：トンネル
１２：トンネル壁面
１４：監視員通路
１５：道路
１６：消火栓設備
１８：床版
２０：管理用通路
２２：ダクト
２４：給水本管
２４ａ：分岐配管
２５：給水配管
２６：放水制御機構収納部
３０：消火栓収納箱
３１：筐体
３２：前扉
３３：前面扉開口
３４：第１上扉
３５：第１上面扉開口
３６：第２上扉
３７：第２上面扉開口
３８：前開きハンドル
４０：後開きハンドル
４２，４４，４６：ヒンジ
４８：通報装置パネル
５６：軸部材
５８：軸受部材
５８ａ：軸穴
６０：前開き機構
７４：ホース収納部
７６：ホース
７８：泡ノズル
８０：ホースガイド構造
８０ａ〜８０ｄ，８２ａ〜８２ｃ，８４ａ，８４ｂ：ガイドパイプ
８６：ノズルホルダー
【図１】
2020093158.tif 000003
【図２】
2020093158.tif 000004
【図３】
2020093158.tif 000005
【図４】
2020093158.tif 000006
【図５】
2020093158.tif 000007
【図６】
2020093158.tif 000008
【図７】
2020093158.tif 000009
【図８】
2020093158.tif 000010
【図９】
2020093158.tif 000011